(57)【要約】
【課題】　傾斜する桁の上に、各段毎の段部材を固定した階段であって、段部材の剛性を大きくし、たわみを小さくするとともに、施工性を良好とし、高さの調整も容易とする。
【解決手段】　段部材２は、鋼板を該階段の幅方向の折り曲げ線に沿って曲げ加工して形成された支持基材２１に、石質材２２，２３，１４を貼着して形成する。支持基材は、水平な踏面部２１ａと、該踏面部の先端側で下方に曲折された蹴込み部２１ｂと、この蹴込み部の下端部で後方側へ水平に折り曲げられた前方支持部２１ｃと、前記踏面部の奥側で上方に曲げ上げられ、さらにその上部が後方側に水平に折り曲げられた後方支持部２１ｄとを有する。後方支持部は桁の上に立設されたボルト１７とこれに螺号されたナット１４，１８によって高さを調節して固定される。前方支持部はこの階段の下方側で隣接して固定された他の段部材の後方支持部の水平に折り曲げられた部分上に支持される。
【選択図】　　図１
0003100151.tif 000002
【実用新案登録請求の範囲】
【請求項１】
　傾斜して設けられた複数の平行な桁の上に、各段毎の段部材を固定した階段であって、
　前記段部材は、鋼板を該階段の幅方向の折り曲げ線に沿って曲げ加工して形成された支持基材と、この支持基材に貼着された石質材とで形成され、
　前記支持基材は、　水平な踏面部と、該踏面部の先端側で下方に曲折された蹴込み部と、この蹴込み部の下端部で後方側へ水平に折り曲げられた前方支持部と、　前記踏面部の奥側で上方に曲げ上げられ、さらにその上部が後方に水平に折り曲げられた後方支持部とを有し、　前記後方支持部が前記桁の上に固定され、前記前方支持部が該階段の下方側で隣接して固定された他の段部材の後方支持部の水平に折り曲げられた部分上に支持されるものであり、
　前記石質材は、前記踏面部と前記蹴込み部とを覆うように貼着されていることを特徴とする階段。
【請求項２】
　前記桁上にボルトが立設され、前記支持基材の後方支持部は、前記ボルトに螺合された複数のナットの間に挟み込んで固定されていることを特徴とする請求項１に記載の階段。
【請求項３】
　前記桁上に鋼突片が設けられ、前記支持基材の後方支持部は、該後方支持部の上方に折り曲げられた立面の背面側に前記鋼突片を溶接接合することによって固定されていることを特徴とする請求項１に記載の階段。
【請求項４】
　前記後方支持部の上方に曲げ上げられた立面は、前記踏面部の上に貼着された石質材の上面より上方まで立ち上げられていることを特徴とする請求項１、請求項２又は請求項３に記載の階段。
【請求項５】
　前記前方支持部は、隣接する他の段部材の後方支持部上に、弾性材料からなる緩衝部材を介して支持されていることを特徴とする請求項１、請求項２又は請求項３に記載の階段。
【請求項６】
　前記踏面部を覆う石質材の後方側端部は、前記後方支持部として上方に立ち上げられた部分を貫通するボルトによって該後方支持部に固定されていることを特徴とする請求項１、請求項２又は請求項３に記載の階段。
【請求項７】
　前記蹴込み部を覆う石質材の背面には、該蹴込み部を背面側から貫通するボルトの先端部が埋め込まれ、固着されていることを特徴とする請求項１，請求項２又は請求項３に記載の階段。
【考案の詳細な説明】
【技術分野】
【０００１】
　本考案は、駅等の公共の通路や建築物内に設けられる階段に係り、特に踏面部及び蹴込み部に、自然石、人工石、陶板、コンクリート板、モルタル板等の石質材を貼り付けた階段に関するものである。
【背景技術】
【０００２】
　一般に、石質材を表面に貼り付けた階段は、鉄筋コンクリートの躯体を傾斜させて設けるとともに、この躯体の上面に複数の水平な踏面を所定の高低差を付けて形成し、この上に石材等をモルタルで貼り付けて形成される。
【０００３】
　また、特許文献１には、施工の合理化を図るために、踏面板と蹴込板との背面に軽量コンクリートを充填した段部材を形成しておき、これらを設置する現場において傾斜して支持された躯体又は桁（ささら桁）の上に固定する技術が開示されている。
【０００４】
　一方、段部材を軽量化し、現場における取り付けを簡易化するためには、段部材を鋼板に石材等を貼り付けたものとし、これを鋼桁に溶接又はボルト及びナットで取り付ける技術が、提案されている（特許文献１）。
【０００５】
　このような鋼板に石材等を貼り付けた段部材を用いる階段では、上記のように施工が簡略化される他に、段部材の取り付け後直ちに荷重が作用しても沈下等の変位が生じない点、段部材の品質が安定している点、補修・改修が容易で、廃材の排出も小さく抑えられる点等のメリットを備えている。
【０００６】
　また、特許文献２には、鋼板に石材を貼り付けた階段プレート（段部材）を、高さを調整して取り付ける技術が開示されている。
【特許文献１】実願平２―８１１０６号（実開平４―３９２２８号）のマイクロフィルム
【特許文献２】特開平４−１６６５４８号公報
【考案の開示】
【考案が解決しようとする課題】
【０００７】
　上記のように、鋼板に石質の材料を貼り付けた段部材を用いた階段では、軽量化、現場における施工の容易性等に多くの長所を有しているが、次のような解決が望まれる課題が残されている。
【０００８】
　段部材を複数の平行な桁に架け渡すように取り付ける階段では、段部材が桁間の荷重を支持することになり、段部材の剛性が小さいとたわみが大きくなる。このとき接着されている石質材は大きな曲げ変形に追従することができず、割れが生じてしまうおそれがある。特に、平行に配置された桁の間隔が大きいと、段部材に生じる曲げモーメントも大きくなって石質材に割れが生じる可能性も大きくなる。
【０００９】
　また、段部材は正確に位置を調整して固定する必要がある。特許文献２に記載の階段では段部材（階段プレート）の高さを調整することができるが、段部材を受ける位置が高くなってしまう。つまり、鋼からなる梁材の上に支持台を固定し、その上に段部材を受けるブラケットをボルトによって上下移動が可能に支持するものとなっており、梁材の下面から階段の踏面までの高さが大きくなる。このため、階段の設置位置が制限される場合が生じる。一方、段部材を鋼からなる桁に溶接で取り付ける技術では、桁に対して段部材が直接に取り付けられるのが一般的であり、段部材を低い位置に固定することができる。しかし、特許文献１の図３に示されるように、桁の上面に段部材の取付片を溶接することになり、段部材の高さの正確な調整が難しくなる。
【００１０】
　一方、各段毎の段部材を用いる階段では、配列された段部材間で完全な防水を施しておかないと、屋外では雨水が階段下に漏れることになる。また、屋内でも洗浄時の洗浄水や粉塵等が階段下に落下する。このため、鋼板に石質材を貼り付けた段部材では鋼板を互いに溶接で接合したり、完全な防水目地を施す必要が生じる。このため施工時の作業量が多くなるという問題点もある。
【００１１】
　本考案は、上記のような問題点に鑑みてなされたものであり、その目的は、段部材が大きな剛性を有し、たわみを小さく抑えることができるとともに、施工性が良好で高さの調整も簡単に行うことができる階段を提供することである。
【課題を解決するための手段】
【００１２】
　上記のような問題点を解決するために、請求項１に係る考案は、　　傾斜して設けられた複数の平行な桁の上に、各段毎の段部材を固定した階段であって、　前記段部材は、鋼板を該階段の幅方向の折り曲げ線に沿って曲げ加工して形成された支持基材と、この支持基材に貼着された石質材とで形成され、　前記支持基材は、　水平な踏面部と、該踏面部の先端側で下方に曲折された蹴込み部と、この蹴込み部の下端部で後方側へ水平に折り曲げられた前方支持部と、前記踏面部の奥側で上方に曲げ上げられ、さらにその上部が後方側に水平に折り曲げられた後方支持部とを有し、前記後方支持部が前記桁の上に固定され、前記前方支持部が該階段の下方側で隣接して固定された他の段部材の後方支持部の水平に折り曲げられた部分上に支持されるものであり、　前記石質材は、前記踏面部と前記蹴込み部とを覆うように貼着されている階段を提供するものである。
【００１３】
　この階段では、段部材が鋼板に石質材を貼着したものであり、軽量化されるとともに施工性が良好となり、工期が短縮される。また、段部材の品質は一定したものとなり耐久性も良好となる。さらに、補修や改修も容易に行うことができ、一部の部材を交換しても廃棄物の発生を最小限に抑えることができる。
【００１４】
　また、段部材に用いられる鋼板が、踏面部の前方で下方に曲げられ、さらにその下部が水平に曲げ加工されているので、踏面の前方部で曲げ剛性が大きくなっている。また段部材の後方、つまり踏面の奥側でも鋼板が上方に曲げ上げられ、さらにその上部が水平に折り曲げられている。このため、段部材の奥側でも曲げに対して大きな剛性を有するものとなっており、桁間に架け渡すように支持されたときにも、踏面上の荷重に対して大きくたわむことはない。このため鋼板に貼り付けた石質材が損傷したりすることはなく、耐久性も向上する。
【００１５】
　請求項２に係る考案は、請求項１に記載の階段において、　前記桁上にボルトが立設され、前記支持基材の後方支持部は、前記ボルトに螺合された複数のナットの間に挟み込んで固定されているものとする。
【００１６】
　この階段では、ボルトに螺合されたボルトを回転させ、その位置を調整することによって、支持する段部材の後方部の高さを正確に調整することができる。さらに、段部材の前方支持部が、この階段の下方側で隣接して固定された他の段部材の後方支持部の水平に折り曲げられた部分上に支持されるものとなっているので、段部材の前方部も載置するだけで高さが正確に調整され、安定した状態で支持される。
【００１７】
　また、桁に立設されたボルトは、段部材の後方で曲げ上げられた後方支持部を支持するものとなっているので、ボルトは蹴込み部の背後で段部材を支持することができ、段部材を低い位置に取り付けることができる。このため、桁の下面から段部材の上面までの寸法は大きくならず、設置位置が制限されることも少なくなる。また、外観も良好な階段とすることができる。
【００１８】
　請求項３に係る考案は、請求項１に記載の階段において、　前記桁上に鋼突片が設けられ、前記支持基材の後方支持部は、該後方支持部の上方に折り曲げられた立面の背面側に前記鋼突片を溶接接合することによって固定されているものとする。
【００１９】
　この階段では、段部材が備える鋼板の後方支持部は背面側に立面を備えており、桁に設けられた鋼突片に上記立面を対向させたまま段部材の位置を上下方向に相対的に移動させることができる。したがって、段部材を上下方向に位置を調整して鋼突片と溶接によって接合することができる。つまり、段部材は高さを正確に設定することが可能となる。また、この段部材より階段の上方側で隣接する段部材の前方支持部は、上記のように支持された後方支持部の水平部分上に支持され、載置するだけで高さを正確に設定することができる。
【００２０】
　請求項４に係る考案は、請求項１、請求項２又は請求項３に記載の階段において、　前記後方支持部の上方に曲げ上げられた立面が、前記踏面部の上に貼着された石質材の上面より上方まで立ち上げられているものとする。
【００２１】
　このような階段では、踏面部の石質材上面を流れる水が、後方支持部として上方に曲げ上げられた部分でせき止められ、後方側つまり階段の裏側に流れ落ちることがなくなる。このため屋外に設けられる場合でも階段下に漏水するようなことが回避される。
【００２２】
　請求項５に係る考案は、　請求項１、請求項２又は請求項３に記載の階段において、　前記前方支持部が、隣接する他の段部材の後方支持部上に、弾性材料からなる緩衝部材を介して支持されているものとする。
【００２３】
　この階段では、隣接して設けられた二つの段部材の接合部は、下方側の段部材の後方支持部上に、上方側の段部材の前方支持部が載置され、それぞれは水平になって対向する。したがって、これらの間に弾性材料からなる緩衝材を介挿しても上方側の段部材は安定して支持される。そして、前方支持部が緩衝材を解して支持されることによって階段上の歩行者等による音及び振動が吸収され、騒音の発生が抑制される。
【００２４】
　請求項６に係る考案は、　請求項１、請求項２又は請求項３に記載の階段において、　前記踏面部を覆う石質材の後方側端部は、前記後方支持部として上方に立ち上げられた部分を貫通するボルトによって該後方支持部に固定されているものとする。
【００２５】
　上記ボルトによって踏面部を覆う石質材が鋼板に強固に固着され、石質材の剥離が有効に防止される。
【００２６】
　また、請求項７に係る考案は、　請求項１、請求項２又は請求項３に記載の階段において、前記蹴込み部を覆う石質材の背面には、該蹴込み部を背面側から貫通するボルトの先端部が埋め込まれ、固着されているものとする。
【００２７】
　上記ボルトは、蹴込み部を覆う石質板を支持基材の蹴込み部にしっかりと固定することになり、石質板の脱落が防止される。
【考案の効果】
【００２８】
　以上説明したように、本考案の階段は、段部材が大きな曲げ剛性を有するものとなり、段部材の変形を小さくして石材の損傷や剥離を防止し、耐久性の良好な階段とすることができる。また、階段の厚さ方向の寸法を大きくすることなく、段部材の位置を正確に調整して取り付けることが可能となる。さらに階段下への漏水も有効に防止することができる。
【考案を実施するための最良の形態】
【００２９】
　以下、本願に係る考案の実施の形態を図に基づいて説明する。
【００３０】
　図１は、本願に係る考案の第１の実施形態である階段を示す縦断面図であり、図２は、同じ階段の概略平面図である。また、図３は、同じ階段の横断面図であり、図１及び図２中のＡ−Ａ線における断面図である。
【００３１】
　この階段は、斜めに支持された２本の鋼桁１に架け渡すように複数の段部材２を固定して各踏み段を形成したものであり、段部材２は各段毎に独立したもので所定の間隔で配列されている。
【００３２】
　上記段部材２は、鋼板を曲げ加工して形成された支持基材２１と、この支持基材に貼り付けられた石板２２、２３、２４とで主要部が構成されている。支持基材２１は、階段上に作用する荷重を負担する構造部材であり、石板は荷重を負担しないものとなっている。この支持基材２１は、図４に示すように階段の幅方向に長辺を有する長方形の鋼板によって踏面部２１ａを形成するものであり、この踏面部２１ａの一方の長縁つまり段鼻に近い縁から下方に鋼板が曲げ下げられて蹴込み部２１ｂが形成されている。そして、蹴込み部２１ｂの下部は、踏み面の奥側にさらに水平に曲げられ、前方支持部２１ｃとなっている。また、他方の長縁つまり踏面部の奥側の縁に沿って鋼板がほぼ鉛直上方に曲げ上げられ、後方支持部２１ｄが形成されている。そして、その上部は奥側に水平に曲げられ、この部分を支持ボルト１３によって支持するものとなっている。
【００３３】
　上記前方支持部２１ｃと踏面部２１ａとの間には、前方支持部２１ｃの変形を拘束するように所定の間隔で補強板２６が溶接によって取り付けられている。また、後方支持部２１ｄにも鉛直部分と水平部分２１ｅとの間に補強板２７が取り付けられ、後方支持部２１ｄの変形を拘束するようになっている。
【００３４】
　上記支持基材２１に貼り付けられる石材は、天然石（例えば花崗岩）からなるもので、図１に示す縦断面内で３つの部材がが組み合わされている。これらは、踏面部を覆う踏面石２２、踏面の段鼻部分に取り付けられる段鼻石２３、蹴込み部に取り付けられる蹴上石２４であり、これらはそれぞれ弾性を有する接着剤３２で支持基材２１に貼り付けられるとともに、幅方向の端部では互いにかすがい２８によって連結されている。
【００３５】
　また、支持基材の蹴込み部２１ｂの背面側からボルト２９が支持基材２１を貫通し、先端が蹴上石２４内に埋め込まれて接着剤で固定されており、このボルト２９で支持基材の蹴込み部２１ｂと蹴上石２４とを強固に固定するものとなっている。また、後方支持部２１ｄの鉛直部分にもボルト孔が設けられ、背面側からボルト３０が貫通されており、踏面石２２の後方端面に貫入されて踏面石２２を固定するようになっている。
【００３６】
　一方、桁１の上面には段部材２の配置間隔に合わせて支持架台１１が設けられており、この支持架台１１の上面が水平になっている。そして、この支持架台１１の上面にベースプレート１２が溶接によって固定され、このベースプレート１２の中心に設けられたねじ孔に支持ボルト１３がねじ込まれている。この支持ボルト１３はベースプレート１２にねじ込んだ後に溶接で接合され、強固に固定されている。
【００３７】
　上記支持ボルト１３には、緩み防止機構を有する二重ナット１４（商品名：ハードロックナット、ハードロック工業株式会社製）が螺合され、その上にワッシャー１５及び角座金１６を介挿して支持基材２１の後方支持部２１ｅを支持するものとなっている。上記二重ナット１４は二つのナットを重ねて支持ボルト１３に螺合するものであり、互いに締め合わせることによって一方のナットの一部が他方のナットと支持ボルト１３との間にくさびのように押し込まれ、ナットの内面と支持ボルトの側面とが強く押し付けられるものである。これにより相互間に大きな摩擦力が作用し、相互間の回転が拘束されるものとなっている。この二重ナット１４の高さ位置を正確に調整し、二つのナットを互いに締め合わせることによって後方支持部２１ｅの高さを正確に調整することができる。
【００３８】
　後方支持部の水平部分２１ｅは、図４に示すようにボルト孔２１ｆが設けられており、支持ボルト１３はこのボルト孔２１ｆに挿通され、その周辺部下面に角座金１６が当接される。後方支持部２１ｅが装着された上からはナット１７が装着され、これを締め付けて二重ナット１４との間に後方支持部の水平部分２１ｅを固定する。また、支持ボルト１３の先端にはナットの緩みを防止するためのスプリング１８（商品名：ＨＬスプリング、九州ハードロック工業株式会社）が装着されている。このスプリング１８は、ボルトの螺条に沿って締め付けるように装着されるものであり、尖った先端がボルトとナットとの遊間に入り込み、くさびのように機能してナットの緩みを防止するものである。
【００３９】
　段部材２の前方側は、上記のように固定された一段下の段部材２’の後方支持部２１ｅ’の上に支持される。つまり、支持基材２１の前方支持部２１ｃが、一段下の段部材２’の後方支持部２１ｅ’上にゴム製の緩衝材１９を介して載置され、段部材２の重量及び踏面上の荷重を、下側で隣接する段部材２’の後方支持部２１ｅ’及び支持ボルト１３を介して桁１で支持するものとなっている。このとき前方支持部２１ｃには、下の段の後方支持部２１ｅ’を固定し支持するボルトと干渉しないように、図４に示すように支持ボルトの位置に相当する部分に切り欠き部２１ｇが設けられている。
【００４０】
　支持基材の蹴込み部２１ｂに貼着された蹴上石２４は、前方支持部２１ｃの下面より下方に突き出すように取り付けられており、この蹴上石２４の下端面が下の段の踏面石２２’の上面とわずかの間隙をおいて対向する。そして、この間隙には目地材３１が充填され、粉塵や雨水等が蹴上石２４の裏側に回り込むのを防止するようになっている。
【００４１】
　このような階段の施工は、桁１を所定の位置に建て込んだ後、段部材２を階段の下方から順次に取り付けることによって構築される。段部材２の取り付けは、後方支持部２１ｅの高さを支持ボルト１３に螺合した二重ナット１４の位置で容易に調整することができ、さらに段部材２の前方は、下の段の後方支持部２１ｅ’上に載置するだけで正確な高さに設置される。このため現場における段部材２の取り付けは短時間で容易に行うことができ、工期が短縮される。また、完成後の補修等においても、容易に撤去及び取り替え等が可能である。
【００４２】
　また、このような階段では、段部材２を取り付けた状態では段部材２が桁間に架け渡され、踏面上の荷重を段部材の曲げ剛性によって支持することになるが、段部材の前方側及び後方側で支持基材２１が下方又は上方に曲げ加工されて曲げ剛性が大きくなっているので、大きなたわみを生じることなく荷重が支持される。また、踏面石２２と上側の段部材２’’の蹴上石２４’’との間の目地剤３１が充分に充填されていなくても、踏面上の水や粉塵が後方支持部の鉛直面２１ｄにせき止められ、階段下に落下することはない。
【００４３】
　図５は、本願に係る考案の他の実施形態である階段の縦断面図であり、図６は、図５中のＢ−Ｂ線における横断面図である。
【００４４】
　この階段は、図１に示す階段と同様に、斜めに支持された二つの平行な鋼桁４１（ささら桁）上に段部材４２を配列して固定したものであるが、段部材４２の固定にボルトを用いず、溶接によって固定されている。
【００４５】
　段部材４２は、図１に示す階段で用いられるものと同じ形状をしており、支持基材４３に踏面石４４、段鼻石４５、蹴上石４６を貼着したものであって、支持基材４３には前方支持部４３ａ及び後方支持部４３ｂが設けられている。ただし、後方支持部４３ｂのボルト孔及び前方支持部４３ａの切り欠き部は必要がなく、設けられていない。
【００４６】
　鋼桁４１には、図１に示す階段と同様に上面が水平となった支持架台４７が所定の間隔で設けられており、この上面に鋼アングル材４８が溶接で固定されている。この鋼アングル材４８は、鉛直な面が階段の幅方向となるように固定されており、段部材４２の後方支持部４３ｂの背面側立面４３ｃと対向するようになっている。したがって、対向する立面は互いに上下に相対位置を調整することができ、段部材４２の後方支持部４３ｂの高さを調整してこれらを溶接で接合することができる。
【００４７】
　段部材４２の取り付けは、図１に示す階段と同様に下側から順次に取り付けるものとし、前方支持部４３ａは一段下側の段部材４２’の後方支持部４３ｂ’上に緩衝材４９を介して載置する。そして、後方支持部４３ｂは支持架台４７の上に仮置きし、これらの間の詰め物を調整して段部材４２の高さを正確に設定する。この状態で、図５に示すように鋼アングル材４８の側縁に沿って後方支持部の背面側立面４３ｃと溶接で接合する。
【００４８】
　このような階段では、現場で溶接が必要になるが、簡単な構造で段部材の高さを調整し、容易に段部材を取り付けることができる。
【図面の簡単な説明】
【００４９】
【図１】本願に係る考案の一実施形態である階段の縦断面図である。
【図２】図１に示す階段の概略平面図である。
【図３】図１中のＡ−Ａ線における断面図である。
【図４】図１に示す階段で用いられる段部材の組み立て図である。
【図５】本願に係る考案の他の実施形態である階段の縦断面図である。
【図６】図５中のＢ−Ｂ線における断面図である。
【符号の説明】
【００５０】
１：鋼桁、　２：段部材、　１１：支持架台、　１２：ベースプレート、　１３：支持ボルト、　１４：二重ナット、　１５：ワッシャー、　１６：角座金、　１７：ナット、　１８：スプリング、　１９：緩衝材、　２１：支持基材、　２１ａ：踏面部、　２１ｂ：蹴込み部、　２１ｃ：前方支持部、　２１ｄ：後方支持部の鉛直部分、　２１ｅ：後方支持部の水平部分、　２１ｆ：ボルト孔、　２１ｇ：切り欠き部、　２２：踏面石、　２３：段鼻石、　２４：蹴上石、　２６：補強板、　２７：補強板、　２８：かすがい、　２９：ボルト、　３０：ボルト、　３１：目地材、　　３２：接着剤、　　４１：鋼桁、　　４２：段部材、　　４３：支持基材、　　４４：踏面石、　　４５：段鼻石、　　４６：蹴上石、　　４７：支持基材、　　４８：鋼アングル材、　　４９：緩衝材
【図１】
0003100151.tif 000003
【図２】
0003100151.tif 000004
【図３】
0003100151.tif 000005
【図４】
0003100151.tif 000006
【図５】
0003100151.tif 000007
【図６】
0003100151.tif 000008